(57)【特許請求の範囲】
【請求項１】
印刷部と前記印刷部が形成した画像を測定してＲＧＢ値を取得するスキャナと前記印刷部が形成した画像を測定してＬ*ａ*ｂ*値又はＸＹＺ値からなる測色値を取得する測色部とを含むシステムにおける測色値取得方法であって、
前記システムは、
予めフレアレベルが一定になるようにパッチが並べ替えられた第１のチャートを前記印刷部に印刷させ、前記第１のチャートの全てのパッチを前記スキャナに測定させてＲＧＢ値を取得すると共に、前記全てのパッチを前記測色部に測定させて測色値を取得し、前記ＲＧＢ値と前記測色値とを対応付けてスキャナプロファイルを作成する第１処理と、
予めフレアレベルが一定になるようにパッチが並べ替えられた第２のチャートを前記印刷部に印刷させ、前記第２のチャートの全てのパッチを前記スキャナに測定させてＲＧＢ値を取得すると共に、一部のパッチを前記測色部に測定させて測色値を取得する第２処理と、
前記スキャナプロファイルを用いて、前記第２処理で取得した測色値に対応するＲＧＢ値を特定する第３処理と、
前記第３処理で特定したＲＧＢ値と前記第２処理で取得した前記一部のパッチのＲＧＢ値との差分を算出する第４処理と、
前記第２処理で取得した各々のパッチのＲＧＢ値に前記差分を適用して補正後ＲＧＢ値を算出する第５処理と、
前記スキャナプロファイルを用いて、前記補正後ＲＧＢ値に対応する推定測色値を取得して、前記システムの色管理のために出力する第６処理と、を実行する、
ことを特徴とする測色値取得方法。
【請求項２】
前記推定測色値を用いて、プリンタプロファイルを作成する第７処理を更に実行する、
ことを特徴とする請求項１に記載の測色値取得方法。
【請求項３】
前記第１処理及び前記第２処理は、チャートの全てのパッチを前記スキャナに測定させてＲＧＢ値を取得し、測定対象のパッチと当該パッチの周辺のパッチとからなる小パッチ群における各パッチのＲＧＢ値を平均した平均ＲＧＢ値の、前記チャート内のバラツキが所定の範囲に収まるようにパッチを並べ替えて、前記チャート内でフレアレベルを一定にする処理を含む、
ことを特徴とする請求項１又は２に記載の測色値取得方法。
【請求項４】
印刷部と前記印刷部が形成した画像を測定してＲＧＢ値を取得するインラインスキャナと前記印刷部が形成した画像を測定してＬ*ａ*ｂ*値又はＸＹＺ値からなる測色値を取得するインライン測色部とを備える画像形成装置であって、
予めフレアレベルが一定になるようにパッチが並べ替えられた第１のチャートを前記印刷部に印刷させ、前記第１のチャートの全てのパッチを前記インラインスキャナに測定させてＲＧＢ値を取得すると共に、前記全てのパッチを前記インライン測色部に測定させて測色値を取得し、前記ＲＧＢ値と前記測色値とを対応付けてスキャナプロファイルを作成するプロファイル作成部と、
予めフレアレベルが一定になるようにパッチが並べ替えられた第２のチャートを前記印刷部に印刷させ、前記第２のチャートの全てのパッチを前記インラインスキャナに測定させてＲＧＢ値を取得すると共に、一部のパッチを前記インライン測色部に測定させて測色値を取得し、前記スキャナプロファイルを用いて、前記取得した測色値に対応するＲＧＢ値を特定し、前記スキャナプロファイルを用いて特定したＲＧＢ値と前記インラインスキャナに測定させて取得した前記一部のパッチのＲＧＢ値との差分を算出する補正量算出部と、
前記インラインスキャナに測定させて取得した各々のパッチのＲＧＢ値に前記差分を適用して補正後ＲＧＢ値を算出し、前記スキャナプロファイルを用いて、前記補正後ＲＧＢ値に対応する推定測色値を取得して、前記画像形成装置の色管理のために出力する測色値推定部と、を備える、
ことを特徴とする画像形成装置。
【請求項５】
前記プロファイル作成部は、前記推定測色値を用いて、プリンタプロファイルを作成する、
ことを特徴とする請求項４に記載の画像形成装置。
【請求項６】
チャートの全てのパッチを前記インラインスキャナに測定させてＲＧＢ値を取得し、測定対象のパッチと当該パッチの周辺のパッチとからなる小パッチ群における各パッチのＲＧＢ値を平均した平均ＲＧＢ値の、前記チャート内のバラツキが所定の範囲に収まるようにパッチを並べ替えて、前記チャート内でフレアレベルを一定にするパッチ並べ替え部を更に備える、
ことを特徴とする請求項４又は５に記載の画像形成装置。
【請求項７】
印刷部と前記印刷部が形成した画像を測定してＲＧＢ値を取得するインラインスキャナと前記印刷部が形成した画像を測定してＬ*ａ*ｂ*値又はＸＹＺ値からなる測色値を取得するインライン測色部とを備える画像形成装置を含むシステムで動作する測色値取得制御プログラムであって、
前記システム内の制御装置に、
予めフレアレベルが一定になるようにパッチが並べ替えられた第１のチャートを前記印刷部に印刷させ、前記第１のチャートの全てのパッチを前記インラインスキャナに測定させてＲＧＢ値を取得すると共に、前記全てのパッチを前記インライン測色部に測定させて測色値を取得し、前記ＲＧＢ値と前記測色値とを対応付けてスキャナプロファイルを作成する第１処理、
予めフレアレベルが一定になるようにパッチが並べ替えられた第２のチャートを前記印刷部に印刷させ、前記第２のチャートの全てのパッチを前記インラインスキャナに測定させてＲＧＢ値を取得すると共に、一部のパッチを前記インライン測色部に測定させて測色値を取得する第２処理、
前記スキャナプロファイルを用いて、前記第２処理で取得した測色値に対応するＲＧＢ値を特定する第３処理、
前記第３処理で特定したＲＧＢ値と前記第２処理で取得した前記一部のパッチのＲＧＢ値との差分を算出する第４処理、
前記第２処理で取得した各々のパッチのＲＧＢ値に前記差分を適用して補正後ＲＧＢ値を算出する第５処理、
前記スキャナプロファイルを用いて、前記補正後ＲＧＢ値に対応する推定測色値を取得して前記画像形成装置の色管理のために出力する第６処理、を実行させる、
ことを特徴とする測色値取得制御プログラム。
【請求項８】
前記制御装置に、更に、
前記推定測色値を用いて、プリンタプロファイルを作成する第７処理を実行させる、
ことを特徴とする請求項７に記載の測色値取得制御プログラム。
【請求項９】
前記第１処理及び前記第２処理は、チャートの全てのパッチを前記インラインスキャナに測定させてＲＧＢ値を取得し、測定対象のパッチと当該パッチの周辺のパッチとからなる小パッチ群における各パッチのＲＧＢ値を平均した平均ＲＧＢ値の、前記チャート内のバラツキが所定の範囲に収まるようにパッチを並べ替えて、前記チャート内でフレアレベルを一定にする処理を含む、
ことを特徴とする請求項７又は８に記載の測色値取得制御プログラム。
【発明の詳細な説明】
【技術分野】
【０００１】
本発明は、測色値取得方法及び画像形成装置並びに測色値取得制御プログラムに関し、特に、チャートのフレアレベルを補正するための測色値を簡便かつ適切に取得する測色値取得方法及び画像形成装置並びに測色値取得制御プログラムに関する。
【背景技術】
【０００２】
スキャナやプリンタなどのデバイスでは、当該デバイスが出力するデバイス値（ＲＧＢ値やＣＭＹＫ値）はデバイスに依存した値になることから、このデバイス値をデバイスに依存しない色に変換するための色変換テーブル（デバイスプロファイル）を作成し、デバイスプロファイルを用いて色変換が行われる。
【０００３】
このようなデバイスプロファイルの作成に関して、例えば、スキャナプロファイルを作成する場合は、プリンタで出力したスキャナプロファイル作成用チャートをスキャナと測色器とで測定し、スキャナで測定して得たＲＧＢ値と測色器で測定して得たCIE 1976色空間のＬ*ａ*ｂ*値やCIE 1931色空間のＸＹＺ値などの測色値とを対応付けることによってスキャナプロファイルを作成することができる。また、プリンタプロファイルを作成する場合は、プリンタプロファイル作成用チャートをスキャナで測定し、スキャナプロファイルを用いて、スキャナで測定して得たＲＧＢ値から測色値を取得することによってプリンタプロファイルを作成することができる。
【０００４】
上記スキャナプロファイル作成用チャートやプリンタプロファイル作成用チャートを用いてＲＧＢ値を取得する場合、測定対象のパッチからの反射光のみを検出する必要がある。しかしながら、実際には、測定対象のパッチからの反射光に加えて、乱反射により周辺のパッチからの反射光も混ざった出力が取得されてしまう。このような、測定対象と光源との間の乱反射で本来の出力以上の反射光が測定される現象はフレアと呼ばれ、ＲＧＢ値を取得する際にはフレアの影響を補正する必要がある。
【０００５】
このフレアの影響を補正する技術に関して、例えば、下記特許文献１には、原稿載置面に載置された原稿の読取面に光を照射する照明手段と、原稿の読取面に照射された光により読取面を撮像する撮像手段と、撮像手段より出力される信号から画像信号データを生成する画像読取装置のフレア補正データ計測方法であって、読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データとあらかじめ照明手段を発光して検出した読取面の照度分布データとからフレア補正データを算出する方法が開示されている。
【先行技術文献】
【特許文献】
【０００６】
【特許文献１】特開２００３−２８３７７３号公報
【発明の概要】
【発明が解決しようとする課題】
【０００７】
上述したスキャナプロファイル作成用チャートとプリンタプロファイル作成用チャートでは、パッチの構成が異なるため、フレアの影響を受ける度合い（フレアレベルと呼ぶ。）が異なる。そのため、スキャナプロファイル作成用チャートを用いて作成したスキャナプロファイルを活用するためには、プリンタプロファイル作成用チャートのフレアレベルを補正する（スキャナプロファイル作成用チャートに合わせる）必要がある。
【０００８】
このフレアレベルを補正する方法として、特許文献１のように事前にフレア補正データを算出する方法が考えられるが、この方法では、様々なパッチ構成のチャートに対応することはできない。つまり、固定チャートだけでなく様々なチャートに対応するためには、動的にフレアレベルを補正する必要がある。一方、フレア補正データを用いず、プリンタプロファイル作成用チャートの全パッチを測色器で測定してプリンタプロファイルを作成する方法も考えられるが、測色器で測色値を取得するには時間が掛かり、また、測色値を取得するためには多数のチャートを出力しなければならないため、ヤレ紙が増えるという問題がある。
【０００９】
本発明は、上記問題点に鑑みてなされたものであって、その主たる目的は、チャートのフレアレベルを補正するための測色値を簡便かつ適切に取得することができる測色値取得方法及び画像形成装置並びに測色値取得制御プログラムを提供することにある。
【課題を解決するための手段】
【００１０】
本発明の一側面は、印刷部と前記印刷部が形成した画像を測定してＲＧＢ値を取得するスキャナと前記印刷部が形成した画像を測定してＬ*ａ*ｂ*値又はＸＹＺ値からなる測色値を取得する測色部とを含むシステムにおける測色値取得方法であって、前記システムは、予めフレアレベルが一定になるようにパッチが並べ替えられた第１のチャートを前記印刷部に印刷させ、前記第１のチャートの全てのパッチを前記スキャナに測定させてＲＧＢ値を取得すると共に、前記全てのパッチを前記測色部に測定させて測色値を取得し、前記ＲＧＢ値と前記測色値とを対応付けてスキャナプロファイルを作成する第１処理と、予めフレアレベルが一定になるようにパッチが並べ替えられた第２のチャートを前記印刷部に印刷させ、前記第２のチャートの全てのパッチを前記スキャナに測定させてＲＧＢ値を取得すると共に、一部のパッチを前記測色部に測定させて測色値を取得する第２処理と、前記スキャナプロファイルを用いて、前記第２処理で取得した測色値に対応するＲＧＢ値を特定する第３処理と、前記第３処理で特定したＲＧＢ値と前記第２処理で取得した前記一部のパッチのＲＧＢ値との差分を算出する第４処理と、前記第２処理で取得した各々のパッチのＲＧＢ値に前記差分を適用して補正後ＲＧＢ値を算出する第５処理と、前記スキャナプロファイルを用いて、前記補正後ＲＧＢ値に対応する推定測色値を取得して、前記システムの色管理のために出力する第６処理と、を実行することを特徴とする。
【００１１】
本発明の一側面は、印刷部と前記印刷部が形成した画像を測定してＲＧＢ値を取得するインラインスキャナと前記印刷部が形成した画像を測定してＬ*ａ*ｂ*値又はＸＹＺ値からなる測色値を取得するインライン測色部とを備える画像形成装置であって、予めフレアレベルが一定になるようにパッチが並べ替えられた第１のチャートを前記印刷部に印刷させ、前記第１のチャートの全てのパッチを前記インラインスキャナに測定させてＲＧＢ値を取得すると共に、前記全てのパッチを前記インライン測色部に測定させて測色値を取得し、前記ＲＧＢ値と前記測色値とを対応付けてスキャナプロファイルを作成するプロファイル作成部と、予めフレアレベルが一定になるようにパッチが並べ替えられた第２のチャートを前記印刷部に印刷させ、前記第２のチャートの全てのパッチを前記インラインスキャナに測定させてＲＧＢ値を取得すると共に、一部のパッチを前記インライン測色部に測定させて測色値を取得し、前記スキャナプロファイルを用いて、前記取得した測色値に対応するＲＧＢ値を特定し、前記スキャナプロファイルを用いて特定したＲＧＢ値と前記インラインスキャナに測定させて取得した前記一部のパッチのＲＧＢ値との差分を算出する補正量算出部と、前記インラインスキャナに測定させて取得した各々のパッチのＲＧＢ値に前記差分を適用して補正後ＲＧＢ値を算出し、前記スキャナプロファイルを用いて、前記補正後ＲＧＢ値に対応する推定測色値を取得して、前記画像形成装置の色管理のために出力する測色値推定部と、を備えることを特徴とする。
【００１２】
本発明の一側面は、印刷部と前記印刷部が形成した画像を測定してＲＧＢ値を取得するインラインスキャナと前記印刷部が形成した画像を測定してＬ*ａ*ｂ*値又はＸＹＺ値からなる測色値を取得するインライン測色部とを備える画像形成装置を含むシステムで動作する測色値取得制御プログラムであって、前記システム内の制御装置に、予めフレアレベルが一定になるようにパッチが並べ替えられた第１のチャートを前記印刷部に印刷させ、前記第１のチャートの全てのパッチを前記インラインスキャナに測定させてＲＧＢ値を取得すると共に、前記全てのパッチを前記インライン測色部に測定させて測色値を取得し、前記ＲＧＢ値と前記測色値とを対応付けてスキャナプロファイルを作成する第１処理、予めフレアレベルが一定になるようにパッチが並べ替えられた第２のチャートを前記印刷部に印刷させ、前記第２のチャートの全てのパッチを前記インラインスキャナに測定させてＲＧＢ値を取得すると共に、一部のパッチを前記インライン測色部に測定させて測色値を取得する第２処理、前記スキャナプロファイルを用いて、前記第２処理で取得した測色値に対応するＲＧＢ値を特定する第３処理、前記第３処理で特定したＲＧＢ値と前記第２処理で取得した前記一部のパッチのＲＧＢ値との差分を算出する第４処理、前記第２処理で取得した各々のパッチのＲＧＢ値に前記差分を適用して補正後ＲＧＢ値を算出する第５処理、前記スキャナプロファイルを用いて、前記補正後ＲＧＢ値に対応する推定測色値を取得して前記画像形成装置の色管理のために出力する第６処理、を実行させることを特徴とする。
【発明の効果】
【００１３】
本発明の測色値取得方法及び画像形成装置並びに測色値取得制御プログラムによれば、チャートのフレアレベルを補正するための測色値を簡便かつ適切に取得することができる。
【００１４】
その理由は、印刷部とインラインスキャナとインライン測色器とを備える画像形成装置（又は画像形成装置を制御する制御装置）では、予めフレアレベルが一定になるようにパッチが並べ替えられた第１のチャートの全てのパッチをインラインスキャナで測定してＲＧＢ値を取得すると共に、全てのパッチをインライン測色器で測定して測色値（Ｌ*ａ*ｂ*値又はＸＹＺ値）を取得し、取得したＲＧＢ値と測色値とを対応付けてスキャナプロファイルを作成した後、予めフレアレベルが一定になるようにパッチが並べ替えられた第２のチャートの全てのパッチをインラインスキャナで測定してＲＧＢ値を取得すると共に、一部のパッチをインライン測色器で測定して測色値を取得し、スキャナプロファイルを用いて、取得した測色値に対応するＲＧＢ値を特定し、特定したＲＧＢ値と取得したＲＧＢ値との差分を算出し、第２のチャートの各々のパッチのＲＧＢ値に差分を適用して補正後ＲＧＢ値を算出し、スキャナプロファイルを用いて、補正後ＲＧＢ値に対応する推定測色値を取得して出力する制御を行うからである。
【図面の簡単な説明】
【００１５】
【図１】本発明の一実施例に係る印刷システムの構成を示す模式図である。
【図２】本発明の一実施例に係る印刷システムの他の構成を示す模式図である。
【図３】本発明の一実施例に係るクライアント装置の構成を示すブロック図である。
【図４】本発明の一実施例に係るプリンタコントローラの構成を示すブロック図である。
【図５】本発明の一実施例に係る画像形成装置の構成を示すブロック図である。
【図６】本発明の一実施例に係る画像形成装置の印刷部の構成を示す模式図である。
【図７】本発明の一実施例に係る印刷システムの動作（スキャナプロファイル作成処理）を示すフローチャート図である。
【図８】本発明の一実施例に係る印刷システムの動作（プリンタプロファイル作成処理）を示すフローチャート図である。
【図９】本発明の一実施例に係る印刷システムの概略動作を示す模式図である。
【図１０】本発明の一実施例に係るスキャナプロファイル作成用チャートの一例である。
【図１１】本発明の一実施例に係るプリンタプロファイル作成用チャートの一例である。
【図１２】先願の技術を適用してプロファイルを作成する場合の印刷システムの動作（スキャナプロファイル作成処理）を示すフローチャート図である。
【図１３】先願の技術を適用してプロファイルを作成する場合の印刷システムの動作（プリンタプロファイル作成処理）を示すフローチャート図である。
【図１４】先願の技術を適用してプロファイルを作成する場合の印刷システムの概略動作を示す模式図である。
【発明を実施するための形態】
【００１６】
画像形成装置では、チャートを印刷して測色することによって、色補正や色精度検証などが行われる。チャートのパッチのＲＧＢ値を取得する場合、測定対象のパッチからの反射光のみを検出する必要があるが、実際には、測定対象のパッチからの反射光に加えて、乱反射により周辺のパッチからの乱反射光も検出し、フレアの影響を含んだ出力となってしまう。この問題に対して、特許文献１では、事前にフレア補正データを算出する方法を提案しているが、チャートの種類（パッチの構成）は様々であり、全ての種類のチャートに対応するフレア補正データを算出するのは非現実的である。一方、フレア補正データを用いず、チャートの全パッチを測色器で測定する方法も考えられるが、この方法では測色器での測色に時間が掛かり、多数のチャートを出力することによってヤレ紙が増えるという問題がある。特に、印刷したチャートをリアルタイムで測色するために、スキャナや測色器を画像形成装置の内部に設けた場合（インラインスキャナ／インライン測色器と呼ぶ。）、インライン測色器での測色に時間が掛かると、印刷ジョブの処理が遅延してしまう。
【００１７】
そこで、本発明の一実施の形態では、スキャナプロファイル作成用チャートとスキャナプロファイルを活用するチャート（プリンタプロファイル作成用チャートなど）のそれぞれが、チャート内でフレアレベルが一定という条件の下、まず、スキャナプロファイル作成用チャートの全部のパッチをスキャナで測定してＲＧＢ値を取得すると共に測色器で測定して測色値（Ｌ*ａ*ｂ*値又はＸＹＺ値）を取得し、これらを対応付けてスキャナプロファイルを作成する。そして、プリンタプロファイル作成用チャートの全てのパッチをスキャナで測定してＲＧＢ値を取得すると共に、一部のパッチを測色器で測定して測色値を取得し、スキャナプロファイルを用いて、当該一部のパッチの測色値に対応するＲＧＢ値を特定して取得したＲＧＢ値との差分（ＲＧＢ値補正量）を算出し、そのＲＧＢ値補正量をプリンタプロファイル作成用チャートの各々のパッチの取得ＲＧＢ値に適用することにより、スキャナプロファイル作成用チャートとプリンタプロファイル作成用チャートのフレアレベルを合わせる。
【００１８】
なお、フレアはパッチの取得ＲＧＢ値に影響することから、ＲＧＢ値を補正することはフレアレベルを補正することと同義であり、このＲＧＢ値補正量がフレアレベル補正量となる。その際、本実施の形態では、スキャナプロファイル作成用チャート及びプリンタプロファイル作成用チャートは、本願発明者の先願の技術を適用してチャート内でフレアレベルが一定となるようにパッチが並べ替えられているため、プリンタプロファイル作成用チャートの一部のパッチに対して算出したフレアレベル補正量を全てのパッチに適用することができる。従って、測色値は、プリンタプロファイル作成用チャートの一部のパッチ（少なくとも１つのパッチ）に対して取得すればよく、測色器で測定するパッチを最小限にすることができるため、チャートを測色器で測定するための時間やヤレ紙を削減することができる。
【実施例】
【００１９】
上記した本発明の実施の形態についてさらに詳細に説明すべく、本発明の一実施例に係る測色値取得方法及び画像形成装置並びに測色値取得制御プログラムについて、図１乃至図１４を参照して説明する。図１及び図２は、本実施例の印刷システムの構成を示す模式図であり、図３は、クライアント装置の構成を示すブロック図、図４は、プリンタコントローラの構成を示すブロック図である。また、図５は、画像形成装置の構成を示すブロック図であり、図６は、画像形成装置の印刷部の構成を示す模式図である。また、図７及び図８は、本実施例の印刷システムの動作を示すフローチャート図であり、図９は、本実施例の印刷システムの概略動作を示す模式図である。また、図１０は、本実施例のスキャナプロファイル作成用チャートの一例であり、図１１は、本実施例のプリンタプロファイル作成用チャートの一例である。また、図１２及び図１３は、先願の技術を適用してプロファイルを作成する場合の印刷システムの動作を示すフローチャート図であり、図１４は、その概略動作を示す模式図である。
【００２０】
上述したように、フレアとは、測定対象と光源との間の乱反射で本来の出力以上の反射光が測定される現象のことである。また、フレアレベルとは、パッチが受ける周囲からの反射光による影響度（量）であり、チャートの種類（パッチ構成）が変われば、フレアレベルは変化する。また、測色器で取得した測色値（Ｌ*ａ*ｂ*値又はＸＹＺ値）はフレアの影響を受けず、スキャナで取得したＲＧＢ値はフレアの影響を受ける。従って、取得した測色値が同じパッチでも、周囲から受けるフレアレベルが異なると、ＲＧＢ値に差が生じてしまう。そこで、本実施例では、スキャナプロファイル作成用チャート及びスキャナプロファイルを活用するチャート（本実施例ではプリンタプロファイル作成用チャートとする。）について、本願発明者の先願（特願２０１５−０４１０７６号）に記載した手法を用いてパッチを並べ替え、それぞれのチャート内でフレアレベルが一定となるようにする。なお、本実施例では、推定した測色値を用いてプリンタプロファイルを作成する場合について説明するが、推定した測色値を用いて色補正や色精度検証などの色管理を行う場合に対しても本発明を同様に適用することができる。
【００２１】
図１に示すように、本実施例の印刷システムは、イントラネット上に、通信ネットワークで接続可能なクライアント装置１０、プリンタコントローラ２０、画像形成装置３０がそれぞれ配置される。なお、通信ネットワークの規格としてEthernet（登録商標）などを用いることができるが、プリンタコントローラ２０から画像形成装置３０へのデータ転送はEthernet（登録商標）以外にもIEEE1394、Parallelなどを用いることも可能である。また、図１では、プリンタコントローラ２０を画像形成装置３０とは別に設けているが、図２に示すように、プリンタコントローラ２０が画像形成装置３０に包含される構成としてもよい。また、図１及び図２は、画像形成装置３０がスキャナ（インラインスキャナ）及び測色器（インライン測色器）を含む場合の構成であるが、外部のスキャナ及び／又は測色器を用いる構成としてもよい。以下、各装置について詳細に説明する。
【００２２】
［クライアント装置］
クライアント装置１０は、パーソナルコンピュータなどのコンピュータ装置であり、図３（ａ）に示すように、制御部１１と記憶部１２とネットワークＩ／Ｆ部１３と表示部１４と操作部１５などで構成される。
【００２３】
制御部１１は、ＣＰＵ（Central Processing Unit）１１ａと、ＲＯＭ（Read Only Memory）１１ｂやＲＡＭ（Random Access Memory）１１ｃなどのメモリとで構成され、これらはバスを介して接続されている。ＣＰＵ１１ａは、ＲＯＭ１１ｂや記憶部１２からプログラムを読み出し、ＲＡＭ１１ｃに展開して実行することにより、クライアント装置１０の全体制御を行う。
【００２４】
上記制御部１１は、図３（ｂ）に示すように、Windows（登録商標）やMacintosh（登録商標）などのＯＳ（Operating System）１６と、ＯＳ１６上でドキュメントを作成する文書作成アプリケーション１７と、文書作成アプリケーション１７で作成したドキュメントのデータをプリンタコントローラ２０で解釈可能な言語（ＰＣＬ（Printer Control Language）やＰＳ（Post Script）などのＰＤＬ（Page Description Language））に変換すると共に、印刷条件や後処理条件を指定して印刷ジョブを生成するプリンタドライバ１８などとしても機能する。
【００２５】
記憶部１２は、ＨＤＤ（Hard Disk Drive）やＳＳＤ（Solid State Drive）などで構成され、ＣＰＵ１１ａが各部を制御するためのプログラム、ドキュメントのデータ、印刷ジョブなどを格納する。
【００２６】
ネットワークＩ／Ｆ部１３は、ＮＩＣ（Network Interface Card）やモデムなどで構成され、ネットワークを介して繋がっているプリンタコントローラ２０との接続を確立し、印刷ジョブなどを送信する。
【００２７】
表示部１４は、ＬＣＤ（Liquid Crystal Display）などで構成され、ドキュメントを作成する画面、ドキュメントの印刷条件（印刷部数、紙種、片面／両面、カラー／モノクロなど）や後処理条件（タブ紙挿入やステープル、パンチなど）を設定する画面などを表示する。操作部１５は、キーボードやマウス、表示部１４と一体となったタッチパネルなどで構成され、ドキュメントの作成、印刷条件や後処理条件の設定などの操作を可能にする。
【００２８】
［プリンタコントローラ］
プリンタコントローラ２０は、コンピュータ装置などの制御装置であり、画像形成装置３０を制御すると共にチャートのパッチを並べ替えたりプロファイルを作成したりする。このプリンタコントローラ２０は、図４（ａ）に示すように、制御部２１と記憶部２２とネットワークＩ／Ｆ部２３とプリンタＩ／Ｆ部２４などで構成される。
【００２９】
制御部２１は、ＣＰＵ２１ａと、ＲＯＭ２１ｂやＲＡＭ２１ｃなどのメモリとで構成され、これらはバスを介して接続されている。ＣＰＵ２１ａは、ＲＯＭ２１ｂや記憶部２２からプログラムを読み出し、ＲＡＭ２１ｃに展開して実行することにより、プリンタコントローラ２０の全体制御を行う。
【００３０】
上記制御部２１は、図４（ｂ）に示すように、ジョブ処理制御部２５と、データ処理部２６と、ＲＩＰ部２７などとしても機能する。
【００３１】
ジョブ処理制御部２５は、クライアント装置１０から受信した印刷ジョブのＰＤＬコマンドを解析し、印刷部数、紙種、両面／片面、カラー／モノクロ、各ページに使用されているオブジェクト（Image／Graphic／Text）、タブ紙挿入やステープル、パンチなどの後処理などのジョブ設定を取得する。そして、ＲＩＰ部２７に印刷画像を生成させ、画像形成装置３０に印刷画像データを送信して印刷を指示する。また、ジョブ処理制御部２５は、画像形成装置３０から色補正要求を受信したら、データ処理部２６にチャートの作成を指示する。
【００３２】
データ処理部２６は、ジョブ処理制御部２５からのチャートの作成指示に従って、色補正に必要なパッチの画像を生成する。そして、各々のパッチ画像とパッチのレイアウト情報とをＲＩＰ部２７に転送してチャートの印刷画像を生成させ、画像形成装置３０からチャートの測色データ（各パッチのＲＧＢ値及びＬ*ａ*ｂ*値））を取得して記憶部２２に保存する。そして、このチャートの測色データに基づき、色変換テーブル（プロファイル）を作成／更新するなどの色補正を実施する。
【００３３】
具体的には、データ処理部２６は、パッチ並べ替え部、プロファイル作成部、補正量算出部、測色値推定部などとして機能する。
【００３４】
パッチ並べ替え部は、測定対象のパッチの周辺からの乱反射光の影響を均一にするために、記憶部２２に保存した測色データを参照して、測定対象のパッチとその周辺のパッチとで構成される小パッチ群の各パッチのＲＧＢ値を平均した値（平均ＲＧＢ値）がチャート内で均一になるようにパッチを並べ替え、各々のパッチ画像と並べ替え後のパッチのレイアウト情報とをＲＩＰ部２７に転送してチャートの印刷画像を生成させる。なお、パッチの並べ替えについては本願発明者の先願（特願２０１５−０４１０７６号）に詳細に記載している。
【００３５】
プロファイル作成部は、画像形成装置３０から、パッチ並べ替え後のスキャナプロファイル作成用チャートの全てのパッチのＲＧＢ値とＬ*ａ*ｂ*値とを取得したら、ＲＧＢ値とＬ*ａ*ｂ*値とを対応付けてスキャナプロファイルを作成する。また、プロファイル作成部は、測色値推定部が算出した推定Ｌ*ａ*ｂ*値を用いてプリンタプロファイルを作成する。
【００３６】
補正量算出部は、画像形成装置３０から、パッチ並べ替え後のプリンタプロファイル作成用チャートの全てのパッチのＲＧＢ値と一部のパッチ（例えば、チャートの特定位置の１つのパッチ）のＬ*ａ*ｂ*値とを取得したら、スキャナプロファイルを用いて、取得したＬ*ａ*ｂ*値に対応するＲＧＢ値を逆算（特定）し、特定したＲＧＢ値と取得したＲＧＢ値との差分（ＲＧＢ値補正量と呼ぶ。）を算出する。
【００３７】
測色値推定部は、プリンタプロファイル作成用チャートの全てのパッチのＲＧＢ値に差分（ＲＧＢ値補正量）を適用してＲＧＢ値（補正後ＲＧＢ値と呼ぶ。）を算出し、スキャナプロファイルを用いて、補正後ＲＧＢ値に対応するＬ*ａ*ｂ*値（推定Ｌ*ａ*ｂ*値と呼ぶ。）を取得する。
【００３８】
ＲＩＰ部２７は、ＰＤＬデータを翻訳して中間データを生成し、中間データに対して色変換テーブルを用いて色変換を行い、レンダリングを行ってドキュメントの各ページの印刷画像（ページ画像と呼ぶ。）を生成する（この一連の処理をＲＩＰ処理と呼ぶ。）。また、ＲＩＰ部２７は、データ処理部２６から転送されたパッチ画像とパッチのレイアウト情報とに従って、パッチ画像を配置したチャートの印刷画像を生成してジョブ処理制御部２５に転送する。また、ＲＩＰ部２７は、必要に応じて、印刷画像に対して、スクリーン処理、階調補正、濃度バランス調整、細線化、網点処理などを行う。
【００３９】
なお、上記ジョブ処理制御部２５、データ処理部２６、ＲＩＰ部２７はハードウェアとして構成してもよいし、制御部２１を、ジョブ処理制御部２５、データ処理部２６、ＲＩＰ部２７（特に、データ処理部２６のパッチ並べ替え部、プロファイル作成部、補正量算出部、測色値推定部）として機能させる測色値取得制御プログラムとして構成し、当該測色値取得制御プログラムをＣＰＵ２１ａに実行させるようにしてもよい。
【００４０】
記憶部２２は、ＨＤＤやＳＳＤなどで構成され、ＣＰＵ２１ａが各部を制御するためのプログラム（上記測色値取得制御プログラムを含む。）、印刷ジョブ、印刷画像データ、色変換テーブル（プロファイル）、チャートの測色データ（各パッチのＲＧＢ値及びＬ*ａ*ｂ*値）などを記憶する。
【００４１】
ネットワークＩ／Ｆ部２３は、ＮＩＣやモデムなどで構成され、ネットワークを介して繋がっているクライアント装置１０との接続を確立し、印刷ジョブなどを受信する。プリンタＩ／Ｆ部２４は、画像形成装置３０に接続するための専用インターフェイスであり、画像形成装置３０に印刷画像データや指示情報（印刷指示情報や測色指示情報）を送信したり、画像形成装置３０から色補正要求やチャートの測色データを受信したりする。
【００４２】
［画像形成装置］
画像形成装置３０は、プリンタコントローラ２０の指示に従って印刷を実行するＭＦＰ（Multi-Functional Peripherals）などであり、図５に示すように、制御部３１とコントローラＩ／Ｆ部３２とパネル操作部３３と印刷部３４とハイブリッド測色部３５などで構成される。
【００４３】
制御部３１は、ＣＰＵ３１ａと、ＲＯＭ３１ｂやＲＡＭ３１ｃなどのメモリとで構成され、これらはバスを介して接続されている。ＣＰＵ３１ａは、ＲＯＭ３１ｂからプログラムを読み出し、ＲＡＭ３１ｃに展開して実行することにより、画像形成装置３０の全体制御を行う。また、制御部３１は、カラー印刷の枚数や装置の使用時間などをカウントし、カウント値が予め定めた値になったら、色補正が必要な状態になったと判断して、プリンタコントローラ２０に色補正要求を送信する。
【００４４】
コントローラＩ／Ｆ部３２は、プリンタコントローラ２０に接続するための専用インターフェイスであり、プリンタコントローラ２０から印刷画像データや指示情報（印刷指示情報や測色指示情報）を受信したり、プリンタコントローラ２０に色補正要求を送信したり、ハイブリッド測色部３５で測定したＲＧＢ値やＬ*ａ*ｂ*値を送信したりする。
【００４５】
パネル操作部３３は、ＬＣＤなどの表示部上に格子状の透明電極からなるタッチセンサが形成されたタッチパネルであり、各種画面を表示すると共に、上記画面での各種操作を可能にする。
【００４６】
印刷部３４は、印刷画像に基づいて印刷処理を実行するエンジンである。具体的には、図６に示すように、印刷画像に基づいてレーザ光を照射して露光する露光部と、感光体ドラムと現像装置と帯電装置と感光体クリーニング部と１次転写ローラとを備え、ＣＭＹＫの各色のトナー像を形成する画像形成部と、ローラによって回転され、画像形成部で形成されたトナー像を用紙に搬送する中間転写体として機能する中間ベルトと、中間ベルト上に形成されたトナー像を用紙に転写する２次転写ローラと、用紙に転写されたトナー像を定着させる定着部と、用紙を搬送する給紙ローラやレジストローラ、ループローラ、反転ローラ、排紙ローラ等の搬送部などで構成される。
【００４７】
ハイブリッド測色部３５は、上記定着部と排紙トレイとの間の用紙の搬送経路などに設けられた、インラインスキャナ３５ａとインライン測色器３５ｂとで構成される。インラインスキャナ３５ａは、例えばＲＧＢの３種類のセンサで構成され、印刷部３４が用紙に形成したチャートの各パッチの反射光を測定してＲＧＢ値を出力する。また、インライン測色器３５ｂは、光の波長ごとに計測可能なスペクトル方式（分光光度計）の測色器であり、印刷部３４が用紙に形成したチャートの各パッチの吸収スペクトルを測定して測色値（Ｌ*ａ*ｂ*値やＸＹＺ値など、本実施例ではＬ*ａ*ｂ*値とする。）を出力する。
【００４８】
なお、図１乃至図６は本実施例の印刷システムの一例であり、チャートを測定してＲＧＢ値とＬ*ａ*ｂ*値とを取得し、プロファイルの作成／更新、色補正、色精度検証などの色管理が可能であれば、各装置の構成や制御は適宜変更可能である。
【００４９】
例えば、上記説明では、プリンタコントローラ２０の制御部２１に、データ処理部２６及びＲＩＰ部２７の機能を持たせたが、図２に示すようにプリンタコントローラ２０が画像形成装置３０に包含される構成とする場合は、画像形成装置３０の制御部３１に、データ処理部２６及びＲＩＰ部２７の機能を持たせる（若しくは、ＣＰＵ３１ａに測色値取得制御プログラムを実行させる）構成としてもよい。
【００５０】
次に、上記構成の印刷システムにおける通常の印刷動作について概説する。
【００５１】
まず、印刷を行うための原稿は、クライアント装置１０に予めインストールされた文書作成アプリケーション１７（例えば、Microsoft（登録商標）社のWord（登録商標）、Excel（登録商標）など）により作成される。文書作成アプリケーション１７によって作成されたアプリケーションファイル形式のデータは、プリンタドライバ１８によりＰＤＬファイル形式のＰＤＬデータに変換され、イントラネットを経由してプリンタコントローラ２０に送信される。
【００５２】
ＰＤＬデータは到着順にプリンタコントローラ２０内に配置され、ジョブ処理制御部２５によりジョブの設定が解析され、ＲＩＰ部２７により印刷画像に変換される。そして、印刷画像データと共にジョブ設定に基づく指示情報が画像形成装置３０に送信され、画像形成装置３０は印刷画像データ及び指示情報に従って印刷処理を実行する。なお、プリンタコントローラ２０内に保存された印刷画像データを、ジョブ管理用のアプリケーションを使用して印刷実行することも可能である。
【００５３】
以下、本実施例の測色値取得方法について説明するが、その前に、本願発明者の先願の技術を適用してパッチの並べ替えを行ったチャートを用いてスキャナプロファイル及びプリンタプロファイルを作成する従来の方法について、図１２及び図１３のフローチャート図、及び図１４の模式図を参照して説明する。
【００５４】
［スキャナプロファイルの作成処理］
図１２に示すように、画像形成装置は、プリンタコントローラからの印刷指示に従ってスキャナプロファイル作成用チャートを印刷し（Ｓ３０１）、パッチの並べ替えのために、インラインスキャナを用いてスキャナプロファイル作成用チャートの各パッチのＲＧＢ値を取得する（Ｓ３０２）。
【００５５】
次に、画像形成装置（若しくはプリンタコントローラ）は、取得したＲＧＢ値を用いて、フレアレベルが一定となるようにパッチを並べ替える（Ｓ３０３）。具体的には、本願発明者の先願に記載しているように、チャートを構成する複数のパッチの中から選択した２つのパッチに対して、一方のパッチ及びその周辺のパッチの中から選択した１つのパッチと他方のパッチとを交換した場合の、交換した各々のパッチを含む小パッチ群の平均ＲＧＢ値を算出し、平均ＲＧＢ値の標準偏差が最も小さくなるパッチの組み合わせを特定し、特定した組み合わせに従ってパッチを交換し、このパッチの交換を繰り返し実行する。
【００５６】
次に、画像形成装置は、パッチを並べ替えたスキャナプロファイル作成用チャートを印刷する（Ｓ３０４）。図１４の（１）はパッチを並べ替えたスキャナプロファイル作成用チャート（フレアレベル（Ａ））の一例を示している。そして、画像形成装置は、インラインスキャナを用いてスキャナプロファイル作成用チャートの各パッチのＲＧＢ値（図１４の（１−１）参照）を取得すると共に、インライン測色器を用いてスキャナプロファイル作成用チャートの各パッチのＬ*ａ*ｂ*値（図１４の（１−２）参照、図ではＬａｂ値と略記）を取得する（Ｓ３０５）。そして、各パッチのＲＧＢ値とＬ*ａ*ｂ*とを対応付けて図１４の（１−３）に示すスキャナプロファイルを作成する（Ｓ３０６）。
【００５７】
［プリンタプロファイルの作成処理］
図１３に示すように、画像形成装置は、プリンタコントローラからの印刷指示に従ってプリンタプロファイル作成用チャートを印刷し（Ｓ４０１）、パッチの並べ替えのために、インラインスキャナを用いてプリンタプロファイル作成用チャートの各パッチのＲＧＢ値を取得する（Ｓ４０２）。次に、画像形成装置（若しくはプリンタコントローラ）は、各パッチのＲＧＢ値を用い、前記した手法に従ってフレアレベルが一定となるようにパッチを並べ替える（Ｓ４０３）。
【００５８】
次に、画像形成装置は、パッチを並べ替えたプリンタプロファイル作成用チャートを印刷する（Ｓ４０４）。図１４の（２）はパッチを並べ替えたプリンタプロファイル作成用チャート（フレアレベル（Ｂ））の一例を示している。次に、画像形成装置は、インラインスキャナを用いてスキャナプロファイル作成用チャートの各パッチのＲＧＢ値（図１４の（２−１）参照）を取得する（Ｓ４０５）。
【００５９】
その際、取得したＲＧＢ値はフレアレベル（Ｂ）のＲＧＢ値であるため、フレアレベル（Ａ）のＲＧＢ値に補正する必要がある。そこで、フレアレベル（Ｂ）をフレアレベル（Ａ）に補正するための補正データ（図１４の（２−２）参照）を用いてフレアレベル（Ｂ）のＲＧＢ値をフレアレベル（Ａ）のＲＧＢ値に補正した後、スキャナプロファイルに補正後ＲＧＢ値を適用し（図１４の（２−３）参照）、推定Ｌ*ａ*ｂ*値を算出する（Ｓ４０６、図１４の（２−４）参照）。その後、推定Ｌ*ａ*ｂ*値をプロファイラに登録し、プロファイラは、推定Ｌ*ａ*ｂ*値を用いてプリンタプロファイルを作成する（Ｓ４０７）。
【００６０】
ここで、フレアレベル（Ｂ）をフレアレベル（Ａ）に補正するための補正データがあれば、フレアレベル（Ｂ）のチャートを測定したＲＧＢ値をフレアレベル（Ａ）のＲＧＢ値に補正することができるため、Ｌ*ａ*ｂ*値を推定することができるが、この補正データはチャート毎に必要であり、チャートは無数に存在するため、この補正データを予め算出するのは非現実的である。一方、プリンタプロファイル作成用チャートの各パッチをインライン測色器で測定してフレアレベルの影響を受けないＬ*ａ*ｂ*値を取得することもできるが、インライン測色器での測色には時間を要し、インライン測色器で測定するためにはプリンタプロファイル作成用チャートを多数出力しなければならず、ヤレ紙が増えてしまう。
【００６１】
そこで、本実施例では、インライン測色器でプリンタプロファイル作成用チャートの全てのパッチを測定するのではなく、一部のパッチ（チャートの特定位置の１つのパッチ）を測定し、その測色値から算出した補正量を全てのパッチに適用することにより、補正データを用いずに、全てのパッチの測色値を簡便に取得できるようにする。
【００６２】
以下、本実施例の印刷システムの動作について図７乃至図１１を参照して説明する。ＣＰＵ２１ａは、ＲＯＭ２１ｂ又は記憶部２２に記憶した測色値取得制御プログラムをＲＡＭ２１ｃに展開して実行することにより、図７及び図８のフローチャート図に示す各ステップの処理を実行する。
【００６３】
［スキャナプロファイルの作成処理］
図７に示すように、プリンタコントローラ２０の制御部２１（ジョブ処理制御部２５）は、画像形成装置３０にスキャナプロファイル作成用チャートの印刷指示を送る。画像形成装置３０は、プリンタコントローラ２０からの印刷指示に従ってスキャナプロファイル作成用チャートを印刷し（Ｓ１０１）、パッチの並べ替えのために、インラインスキャナ３５ａを用いてスキャナプロファイル作成用チャートの各パッチのＲＧＢ値を取得する（Ｓ１０２）。次に、プリンタコントローラ２０の制御部２１（データ処理部２６のパッチ並べ替え部）は、画像形成装置３０からスキャナプロファイル作成用チャートの各パッチのＲＧＢ値を取得し、そのＲＧＢ値を用い、前記した手法に従ってフレアレベルが一定となるようにパッチを並べ替え（Ｓ１０３）、プリンタコントローラ２０の制御部２１（ジョブ処理制御部２５）は、画像形成装置３０にパッチを並べ替えたスキャナプロファイル作成用チャートの印刷指示を送る。
【００６４】
画像形成装置３０は、プリンタコントローラ２０からの印刷指示に従ってパッチを並べ替えたスキャナプロファイル作成用チャートを印刷する（Ｓ１０４）。図９の（１）及び図１０はパッチを並べ替えたスキャナプロファイル作成用チャート（フレアレベル（Ａ））の一例を示している。なお、スキャナプロファイル作成用チャート５０は、予め定めた列（１列とは限らない）のみにパッチ４０を配置している。
【００６５】
画像形成装置３０は、インラインスキャナ３５ａを用いてスキャナプロファイル作成用チャートの各パッチのＲＧＢ値（図９の（１−１）参照）を取得すると共に、インライン測色器３５ｂを用いてスキャナプロファイル作成用チャートの各パッチのＬ*ａ*ｂ*値（図９の（１−２）参照）を取得する（Ｓ１０５）。そして、プリンタコントローラ２０の制御部２１（データ処理部２６のプロファイル作成部）は、画像形成装置３０からスキャナプロファイル作成用チャートの各パッチのＲＧＢ値とＬ*ａ*ｂ*値を取得し、それらを対応付けて、図９の（１−３）に示すスキャナプロファイルを作成する（Ｓ１０６）。なお、スキャナプロファイルの作成処理については、前記した従来の方法と同様である。
【００６６】
［プリンタプロファイルの作成処理］
プリンタコントローラ２０の制御部２１（ジョブ処理制御部２５）は、画像形成装置３０にプリンタプロファイル作成用チャートの印刷指示を送る。画像形成装置３０は、プリンタコントローラ２０からの印刷指示に従ってプリンタプロファイル作成用チャートを印刷し（Ｓ２０１）、パッチの並べ替えのために、インラインスキャナ３５ａを用いてプリンタプロファイル作成用チャートの各パッチのＲＧＢ値を取得する（Ｓ２０２）。次に、プリンタコントローラ２０の制御部２１（データ処理部２６のパッチ並べ替え部）は、画像形成装置３０からプリンタプロファイル作成用チャートの各パッチのＲＧＢ値を取得し、そのＲＧＢ値を用い、前記した手法に従ってフレアレベルが一定となるようにパッチを並べ替え（Ｓ２０３）、プリンタコントローラ２０の制御部２１（ジョブ処理制御部２５）は、画像形成装置３０にパッチを並べ替えたプリンタプロファイル作成用チャートの印刷指示を送る。
【００６７】
次に、画像形成装置２０は、プリンタコントローラ２０からの印刷指示に従ってパッチを並べ替えたプリンタプロファイル作成用チャートを印刷する（Ｓ２０４）。図１１（ａ）は、パッチを並べ替える前のプリンタプロファイル作成用チャートの一例を示し、図９の（２）及び図１１（ｂ）はパッチを並べ替えたプリンタプロファイル作成用チャート（フレアレベル（Ｂ））の一例を示している。そして、画像形成装置３０は、インラインスキャナ３５ａを用いてプリンタプロファイル作成用チャートの各パッチのＲＧＢ値（図９の（２−１）参照）を取得し（Ｓ２０５）、更に、インライン測色器３５ｂを用いてプリンタプロファイル作成用チャートの一部のパッチ（チャートの特定位置の１つのパッチ）のＬ*ａ*ｂ*値（図９の（２−２）参照）を取得する（Ｓ２０６）。
【００６８】
次に、プリンタコントローラ２０の制御部２１（データ処理部２６の補正量算出部）は、画像形成装置３０からプリンタプロファイル作成用チャートの全てのパッチのＲＧＢ値と一部のパッチのＬ*ａ*ｂ*値を取得し、図７のフローチャートに従って作成したスキャナプロファイルを用いて、取得したＬ*ａ*ｂ*値に対応するＲＧＢ値を逆算（特定）する（Ｓ２０７、図９の（２−３）参照）。この逆算したＲＧＢ値は、フレアレベル（Ａ）におけるＲＧＢ値となる。そして、プリンタコントローラ２０の制御部２１（データ処理部２６の補正量算出部）は、逆算したＲＧＢ値と取得したＲＧＢ値との差分（ＲＧＢ値補正量）を算出する（Ｓ２０８）。なお、複数のパッチのＬ*ａ*ｂ*値を取得した場合は、各々のＬ*ａ*ｂ*値に対応するＲＧＢ値について差分を算出し、その差分の平均値や代表値などを利用して以下の処理を行えばよい。
【００６９】
次に、プリンタコントローラ２０の制御部２１（データ処理部２６の測色値推定部）は、算出した差分（ＲＧＢ値補正量）をプリンタプロファイル作成用チャートの全てのパッチのＲＧＢ値に適用することにより、取得ＲＧＢ値を補正する（Ｓ２０９）。すなわち、逆算したＲＧＢ値と取得したＬ*ａ*ｂ*値に対応するＲＧＢ値との差分が、フレアレベル（Ｂ）→（Ａ）の補正量であり、この補正量を取得した全てのＲＧＢ値に適用する（図９の（２−５）参照）。そして、プリンタコントローラ２０の制御部２１（データ処理部２６の測色値推定部）は、スキャナプロファイルに、ＲＧＢ値補正量を加算した補正後ＲＧＢ値を適用して推定Ｌ*ａ*ｂ*値を算出する（Ｓ２１０、図９の（２−６）参照）。
【００７０】
その後、プリンタコントローラ２０の制御部２１（データ処理部２６のプロファイル作成部）は、推定Ｌ*ａ*ｂ*値を用いてプリンタプロファイルを作成し（Ｓ２１０、図９の（２−７）参照）、作成したプリンタプロファイルを記憶部２２などに保存する。
【００７１】
以上説明したように、フレアレベルが一定になるようにパッチを並べ替えたスキャナプロファイル作成用チャートをインラインスキャナ３５ａ及びインライン測色器３５ｂで測定してスキャナプロファイルを作成した後、スキャナプロファイルを活用するチャート（フレアレベルが一定になるようにパッチを並べ替えたプリンタプロファイル作成用チャートなど）を測色する際に、インラインスキャナ３５ａを用いて全てのパッチのＲＧＢ値を取得すると共に、インライン測色器３５ｂを用いて一部のパッチのＬ*ａ*ｂ*値を取得し、スキャナプロファイルを用いてＬ*ａ*ｂ*値に対応するＲＧＢ値を逆算（特定）し、逆算したＲＧＢ値と取得したＲＧＢ値との差分（ＲＧＢ値補正量）を算出し、そのＲＧＢ値補正量をプリンタプロファイル作成用チャートの全てのパッチのＲＧＢ値に適用することにより、インライン測色器３５ｂで測定するパッチを極力減らして、スキャナプロファイル作成用チャートとプリンタプロファイル作成用チャートのフレアレベルを合わせることができる。また、ハイブリッド測色部３５を用いることにより、動的にフレアレベルを補正することができ、高精度なカラーマッチングが可能となる。
【００７２】
なお、本発明は上記実施例に限定されるものではなく、本発明の趣旨を逸脱しない限りにおいて、印刷システム及び各装置の構成や制御は適宜変更可能である。
【００７３】
例えば、上記実施例では、スキャナプロファイルを活用するチャートとしてプリンタプロファイル作成用チャートを例示したが、スキャナプロファイルを活用してＲＧＢ値からＬ*ａ*ｂ*値を推定する任意のチャートに対して、本発明の測色値取得方法を同様に適用することができる。また、上記実施例では、推定Ｌ*ａ*ｂ*値を用いてプリンタプロファイルを作成する場合について説明したが、推定Ｌ*ａ*ｂ*値を用いて色補正や色精度検証などの任意の色管理を実施する場合に対して、本発明の測色値取得方法を同様に適用することができる。
【００７４】
また、上記実施例では、インライン測色器３５ｂを用いて測色値としてＬ*ａ*ｂ*値を取得する場合を例示したが、測色値としてＸＹＺ値を取得する場合に対しても、本発明の測色値取得方法を同様に適用することができる。
【００７５】
また、上記実施例では、ハイブリッド測色部３５が、印刷部３４の定着部と排紙トレイとの間の用紙の搬送経路に設置される構成としたが、ハイブリッド測色部３５を構成するインラインスキャナ３５ａ及び／又はインライン測色器３５ｂは中間ベルト近傍に設けることもできる。その場合は、中間ベルトに画像形成したチャートの各パッチを測色すればよい。また、インラインスキャナ３５ａ及び／又はインライン測色器３５ｂに代えて、画像形成装置３０の外部に設けたスキャナ及び／又は測色器を利用することもできる。
【産業上の利用可能性】
【００７６】
本発明は、チャートのフレアレベルを補正するための測色値を簡便かつ適切に取得する測色値取得方法及び画像形成装置並びに測色値取得制御プログラム並びに当該測色値取得制御プログラムを記録した記録媒体に利用可能である。
【符号の説明】
【００７７】
１０  クライアント装置
１１  制御部
１１ａ  ＣＰＵ
１１ｂ  ＲＯＭ
１１ｃ  ＲＡＭ
１２  記憶部
１３  ネットワークＩ／Ｆ部
１４  表示部
１５  操作部
１６  ＯＳ
１７  文書作成アプリケーション
１８  プリンタドライバ
２０  プリンタコントローラ
２１  制御部
２１ａ  ＣＰＵ
２１ｂ  ＲＯＭ
２１ｃ  ＲＡＭ
２２  記憶部
２３  ネットワークＩ／Ｆ部
２４  プリンタＩ／Ｆ部
２５  ジョブ処理制御部
２６  データ処理部
２７  ＲＩＰ部
３０  画像形成装置
３１  制御部
３１ａ  ＣＰＵ
３１ｂ  ＲＯＭ
３１ｃ  ＲＡＭ
３２  コントローラＩ／Ｆ部
３３  パネル操作部
３４  印刷部
３５  ハイブリッド測色部
３５ａ  インラインスキャナ
３５ｂ  インライン測色器
４０  パッチ
５０  スキャナプロファイル作成用チャート
５１  プリンタプロファイル作成用チャート
【図１】
0006300119.tif 000002
【図２】
0006300119.tif 000003
【図３】
0006300119.tif 000004
【図４】
0006300119.tif 000005
【図５】
0006300119.tif 000006
【図６】
0006300119.tif 000007
【図７】
0006300119.tif 000008
【図８】
0006300119.tif 000009
【図９】
0006300119.tif 000010
【図１０】
0006300119.tif 000011
【図１１】
0006300119.tif 000012
【図１２】
0006300119.tif 000013
【図１３】
0006300119.tif 000014
【図１４】
0006300119.tif 000015